(57)【要約】      （修正有）【課題】視力障がい者や色覚障がい者が反射型センサーの感知範囲に入ると、信号機と連動して信号機の色を適切な音量で知らせる装置を提供する。【解決手段】横断歩道の信号機の赤信号の電源と接続される第１のリレースイッチと、青信号の電源と接続される第２のリレースイッチと、第１及び第２のリレースイッチと接続される電源分配ソケットと、電源分配ソケットと接続されるＡＣアダプター、タイマースイッチ、および反射型センサーと、ＡＣアダプターに接続される二つのＩＣレコーダーと、二つのＩＣレコーダーに接続される全天候型のスピーカーとを備え、反射型センサー１１の検出信号に基づいて、二つのＩＣレコーダーのいずれかの音声を全天候型のスピーカー１０に入力し、タイマースイッチのセットした時間範囲で信号機の色を知らせる。【選択図】図２
0003219148.tif 000002
【実用新案登録請求の範囲】
【請求項１】
本装置は適切なサイズの該パイプの中に該反射型センサーと該全天候のスピーカーと該  リレースイッチ２台と２台の該ＩＣレコーダー適切な音声を入力して、該ＡＣアダプタ  ー及び該反射型センサーと連動している該タイマーなどの全体を内蔵させて設置をする  が、交通信号機と連動して色が判らない視力障がい者などに歩道に設置した該点字ブロ  ックを車道側に移動すると点字ブロックの上面に適切な高さに設置して反射型センサー  に感知されたら信号機と連動させて赤信号や青信号機の色をリピート設定してあるＩＣ  レコーダーの音声が該タイマーのセットした時間範囲で適切な音声で知らせる装置。
【請求項２】
本装置の電源取り出しは、交通信号機の制御器から取り出が出来るが制御器以外の場所に設置した本装置は車道を挟んだ反対側の本装置の電源は赤、青夫々の信号機電灯から信号の変わる毎にその信号機の色の変わった時だけ本装置に該リレースイッチを介して電源を取り出し、同時にリレースイッチを介して該ＩＣレコーダーに作用して該タイマーのセットした時間だけ音声を出すセンサーの電源とタイマーの電源とＩＣレコーダーの為にＡＣアダプターの電源に使用する。
又、ＩＣレコーダーの電源は停電などでリピートモードが停止せぬように充電式の電池を供える仕組みとする。
【請求項３】
本装置の電源は、交通信号機から、２台の該リレースイッチを介して、該横断歩道の信  号機の赤と青信号機からの信号の変わる度に夫々のリレースイッチを介して、ＩＣレコ  ーダーに入力してリピートモードで作動している音声をスピーカーに再生して利用者に  伝える仕組みとする。。入力をしたリレースイッチは青信号機の音声を入力した該ＩＣ  レコーダーの音声スピーカーの制御をしてタイマーを介して音声のオンとオフの作動を  させて赤信号も同じ作動をさせる。
又、電源の取り出しは同じ回路を使い、該リレースイッチの回路を使用しない端子から赤信号と青信号の電源を結びそれを取り出し、他に夫々のリレースイッチから同じ回路の端子を結び夫々の電源端子として電源を信号の変わる度に定格電源を利用してリレースイッチの働きで常に電源を使用する装置。
【請求項４】
視力障がい者などが該感知センサーを求めるには歩道上に適切な数の該コンクリートネ  ルで該点字ブロックを固定して反射型センサーの下に歩道を横断するように設置して、  その延長線の車道の該横断ペイントの端に書道を横切り車道の反対側の車道の縁石で点  字ブロックを止める。
又横断歩道の反対側にも歩道に横断するように点字ブロックを設置してその延長先の車道の端に点字ブロックをその先端の縁石まで敷設して盲人同士の衝突を避けるように点字ブロックを設置する
【考案の詳細な説明】
【技術分野】
【０００１】  本装置の電源は、交通信号機の制御器から取り出して使用出来るが、本装置の設置場所  により、赤、青夫々の信号機から電気を取り出して信号機の変わる毎にその信号機の色  の変わった時だけ該リレースイッチを介して該ＩＣレコーダーの電源と該反射型センサ  ー、該タイマーの電源として夫々用いる事とする。
赤信号機から取り出した電源コードの片側のコードのリレースイッチのネジ端子はその  上のネジ端子に入れて電源取り出しとして青信号機の同じリレースイッチと同じ位置の  ネジ端子を結び電源分配ソケットに入れる又リレースイッチの上段のネジ端子は電源の  片側の端子に入れてそれをＩＣレコーダーのスピーカー制御をさせて、タイマースイッ  チに入力をする。同じ方法で青信号機から取り出した電源も同じようにしてそれぞれの  電源はリレースイッチで制御された電源を結んだコードと片側のコードを結んだ夫々を  電源分配コンセントに入れて私用する。。
上段の端子に１００ボルトの電源を入れて反対側の上段から電源を入れたら電源を取り  出し又上段右側にＩＣレコーダーのスピーカーコードを入れて置くとそれも通電が出来  る。
【背景技術】
【０００２】交差点などの交通信号は主に車両の流れを優先して考慮されており、同時に晴眼者の横断に対する信号で文献では極一部に擬音によるピヨピヨなどかメロデの擬音かーメロデーのでのスピーカーで伝えているが、交差点付近の住民には迷惑であると言う。
全ての交差点でスピーカーでの放送は困難である。
本発明品は、歩道上などに設置した該点字ブロックを利用する盲人や地理不案内の人などが辿ると点字ブロックの上面に適切な高さに設置した反射型センサーを本装置の先端部に適切な状態に配して感知範囲に入ると本装置を内蔵した本該ビニールパイプの中適切な音量で指定した時間だけ該ＩＣレコーダーからリピートモードで音声をタイマースイッチを介して音声でフルタイムで知らせる装置である。
【参考文献】
光センサーその使い方  著者谷腰菌司
センサーの基本  著者都甲潔他３人
交通信号機のルーツを探れ  アリス館
交通信号  技術書院
交通信号の手引き  丸善（株）
交通管理システムの技術と実際  オウム社
主な部材（オムロン（株）の製品）
光電センサー反射型Ｅ３ＪＫ−ＤＲ１３６
タイマースイッチＨ３ＣＲ−Ａ１００
リレースイッチＭＹ２  ＡＣ―１００
【考案の開示】
【０００３】本発明品はかた足が乗る程度の点字ブロックを敷設して、それを辿ると予め設置した該反射型センサーが何も持たなくてもセンサーの感知範囲に入ると信号機と連動して制御したスピーカーコードに該タイマーで制御した音量でスピーカーで適切な音量で声を出す。
【０００４】盲人などが、点字ブロックを辿ると本装置の電源は該交通信号機の赤及び青信号機から夫々を該リレースイッチに入力をする。
赤信号機からの電気は赤信号になると、同時に入力をしたリレースイッチが作動して該ＩＣレコーダーからの出力を通電させて同時にリレースイッチの出力を該タイマースイッチに通電をして該タイマーに設定をした時間だけ該音声スピーカーに通電を尾して音声を出す。又、音声の出力が作用している時間だけ結線をしている電気が該分配コンセントに入力をする。
これは、青信号機と交互に働きをする。
【０００５】該タイマーは該コンセントから電源を入力する。
タイマーは該反射型センサーから電源を入力したらタイマーに予め設定した時間だけタイマーの該ＩＣレコーダーの作用の時間だけ入力をして音声の作動の制御をする。
【０００６】該反射型センサーは該コンセントから電源を供給して本センサーの感知範囲に人物などが感知されたら、センサーの作用で該タイマーに入力をしてタイマーの作用をの働きをする。
【０００７】
【０００８】常に２台のＩＣレコーダーには夫々適切な音声を入力して、りぴーともーどで作動させておく。
音声をリピートモードでフルタイムで働き、反射型センサーの感知範囲に入ると指定した適切な時間だけ音声スピーカーを制御して音声を出す。
又、本装置を収納する本体は、適切な太さのビニールパイプを用い適切な長さでソケットを使用して２分割をする。その上本体は
異形ソケットを用いその上部から本体の先端部までに適切な長さからエルボソケットを用いて適切な長さでその先端に反射型センサーと音声スピーカーを取付ける。
装置を内蔵した本体上部は異形ソケットの上部から本体の先端部までを耐熱や湿度を考慮して中に発泡スチロールを注入をする。
【０００９】青色色の時には、信号機と連動した該ＩＣレコーダーのスピーカーコードを制御して、リレースイッチを
制御して、リピートモードで音声を出して、又赤信号と連動した赤いろの時には信号と連動した、「赤」ですと告げてから「道案内や道幅など」をＩＣレコーダーの制御して、りぴーともーどで作動させ、２台設置したレコーダーの１台からだけリレースイッチをオンにして音声を出し、該スピーカーから適切な音量で出してリピートモードで繰り返し出す。
スピーカーで知らせるが、交通信号機が青信号になると、赤信号の入力が止まり、青信号の電源がオンになり、「青です」のリピートモードで該スピーカーから歩行者に知らせる。
該ＩＣレコーダーの青信号機ト連動したスピーカーコードは１と２とする。赤信号に連動したＩＣレコーダーのスピーカーコードを▲１▼と▲２▼として「夫々１と▲１▼を結線して２と▲２▼を結線」する。
１と▲１▼の結んだコードと２と▲２▼の結んだコードは該スピーカーこーどのＡ線とＢ線と結線する。
青信号機と連動した１にはリレースイッチを配し又赤信号と連動したコードにもリレースイッチを配しＡコードにはタイマースイッチを配して光電センサーで感知したらＡコードのタイマースイッチが働き予め指定した時間だけ常にフルタイムで作動をする。
【００１０】盲人などに対して横断歩道から次の横断歩道までの距離の長い時などでは定格電源の得られない場所では歩道上にソーラー発電で充電コントローラーを介して蓄電器に蓄え、本装置に必要な電圧に変換して使用する事が出来る。。
主に案内は進行方向の右側に車道がある時にはその旨を伝え、左側に車道がある時には同じくその旨を伝える音声をリピートモードで配してそれを制御してセンサーが感知したら音声で伝える。
【課題を解決するための手段】
【００１１】視力障がい者や色覚異常者などが、歩道を歩いている時に歩道に設置した点字ブロックを辿ると光電センサーの感知範囲に入り感知すると予め指定した時間だけおんせいが出るが、概ね横断歩道の右側に歩道からの点字ブロックと同じに車道横断歩道に点字ブロックを設置すると、車道の反対側の点字ブロックも車道横断の右側に点字ブロックを設置すると盲人同士の衝突は回避されるし、視力障がい者は進行方向の確認が容易である。
【考案が解決しようとする課題】
【００１２】障がい者が外出をして舗道を歩いて目的地に出向いても交差点で進行方向の車道を横断するにも該スピーカーによる音声の交差点でも自分が現在の位置が判らず、同伴者の手伝いによらないと目的地に到達する事が困難であるので本発明品は交差点の信号の色と現在地等をＩＣレコーダーのリピートモードで知らせる事を目的にする。
【００１３】横断歩道の信号機の色を本発明の設置したセンサーの
該反射型センサーが感知範囲に入ると感知したら、設定した時間だけ該タイマーが作動して青信号と赤信号に夫々連動して適切な音量でフルタイムで知らせる装置である。
【００１４】本装置は該反射型センサーが感知した時に予め設定した時間だけ、パイプの先端に配した該スピーカーから音声で連動してある赤か青かの音声を該スピーカーから流すが、赤信号と連動しているＩＣレコーダーと青信号と連動しているＩＣレコーダー夫々がフルタイムでリピートモードで繰り返し作動しているがセンサーが感知しない時には音声は出さない。
【００１５】本装置の電源は交通信号機の赤信号機と青信号機から夫々から該リレースイッチを介して信号の変わる度にリレースイッチを介してからの電気を用てセンサーを作動させるがＩＣレコーダーの電源は同じくＡＣアダプターを介して必要なＩＣレコーダーに電源補給をするが希に停電などの時には予めＩＣレコーダーに必要な電池を配してリピートモードが停止する事の無いように配するが、停電が復旧すると自動的にＡＣアダプターから電源供給が出来る仕組みとする。本装置は停電の時には作動はしない。
【００１６】盲人などに対して横断歩道から次の横断歩道までの距離の長い時などでは該交通信号機から電源を取り出して、本装置を適切な位置に配して主に案内は進行方向の右側に車道がある時にはその旨を伝え、左側に車道がある時には同じくその旨を伝える音声をリピートモードで配してそれを制御してセンサーが感知したら音声で伝える。
【課題を解決するための手段】
【００１７】視力障がい者や色覚異常者などが、歩道を歩いている時に歩道に設置した点字ブロックを辿ると反射型センサーの感知範囲に入り感知すると予め指定した時間だけおんせいが出るが、概ね横断歩道の右側に歩道からの点字ブロックと同じに車道横断歩道に点字ブロックを設置すると、車道の反対側の点字ブロックも車道横断の右側に点字ブロックを設置すると盲人同士の衝突は回避されるし、視力障がい者は進行方向の確認が容易である。
点字ブロックは各種の条件に対応出来るように、適切な場所に適切な数のコンクリートネールで固定をする。
【００１８】視力障がい者は現在の横断歩道の通行には同伴者などに伴ってもらい、横断をしなければならず、又、通行車両の停止した音のみを信じて横断をするが、昨今では電気自動車やアイドリングストップの車両などもいて、横断が厳しいが、本発明品は点字ブロックを頼りにしてセンサーの感知範囲に入ると情報が得られるので簡単に横断が出来てその上道案内もしておけば大変便利である。。
【００１９】本装置の電源は交通信号機から電気を用いて、歩道上だけの作業で、車道上にでの配線工事を必要とせずに設置作業が安価に出来る。
【考案の効果】
【００２０】本装置は、該交通信号機からの電気と該交通信号機からの配線を利用出来るので、特別な交通規制などを行わずに本発明装置の設置が簡易である。
【考案を実施するための最良の形態】
【００２１】本装置はビニールパイプの適切な太さの中に収納して収納部を２分割してソケットでつなぎ、その上の適切な太さの異形ソケットでパイプをし、適切な高さからＬ型ソケットで曲曲げたその先端は点字ブロックの上面に配し、その先端に該反射型センサーと該スピーカーを配する。
本装置を配した該パイプは、交通信号機からの電源コードをパイプの下部から中を通して、パイプ全体を設置するには予め歩道の舗装を取り除き、パイプの中に入る鉄筋を適切な深さに打ち込みそれにパイプを入れて鉄筋が隠れる位のコンクリートでパイプの固定をする。
本装置はコンクリート上面に配し、温度の変化の変わらぬ状態とする。
本発明装置は歩道にかた足が乗る程度の点字ブロックを設置して車道側の適切な場所に該反射型センサーを配し、横断歩道にも点字ブロックを設置して反対側の、歩道の手前で止める。
又横断歩道の反対側も同じ方法で設置すると盲人同士の衝突が防げる。【００２２】文献によると、擬音による、ピヨピヨなどの音声とメロデーだけがスピーカーの音声で知らせているが大多数は大音声であるために、交差点付近の迷惑の為に時間指定をしている。
【産業上の利用可能性】
【００２３】「真に必要としている視力障がい者や色覚障がい者などに反射型センサーの感知範囲に入ると適切な音量で道幅や道案内をフルタイムで知らせる事が出来る。【００２４】交差点以外でも必要に応じて建物の中などで点字ブロックの設置してある場所などに配置して適切な案内を該反射型センサーが感知したら適切な音声で道案内が出来る。
【図面の簡単な説明】
【００２５】
【図１】は本装置の主な部材の配置のぶろっく図デアル。
【図２】は、本体装置の全体図で本装置の収納部と異形ソケットから先端の上部と先端の反射型センサーと音声スピーカーの取り付け図デアル。
【図３】は車道と歩道に設置する点字ブロックと本装置の設置図の上面から見た図である。
【図４】は反射型センサーとスピーカーの横面と縦面の配置図である。
【符号の説明】
【００２６】１タイマスイッチ  ２電源分配ソケット  ３リレースイッチ１  ４リレースイッチ２  ５本装置を入れるビニールパイプ  ６本体を分割してつなぐソケット  ７細いパイプにつなぐ異形ソケット  ８細ビニールパイプを曲げるＬ型ソケット  ９反射型センサーとスピーカー先端に取付けるパイプ  １０スピーカーの取り付け場所  １１反射型センサーの取り付け場所  １２歩道に設置した本体  １３本体の位置図  １４歩道に設置した点字ブロック  １５車道に設置した点字ブロック  １６スピーカーの取り付け横面  １７反射型センサーの取り付け横面  １８反射型センサーの取り付け正面１９  スピーカーの取り付け正面
【図１】
0003219148.tif 000003
【図２】
0003219148.tif 000004
【図３】
0003219148.tif 000005
【図４】
0003219148.tif 000006
【手続補正書】
【提出日】平成30年7月27日(2018.7.27)
【手続補正１】
【補正対象書類名】実用新案登録請求の範囲
【補正対象項目名】全文
【補正方法】変更
【補正の内容】
【実用新案登録請求の範囲】
【請求項１】
横断歩道の信号機の赤信号の電源を本装置の第一該リレースイッチの電源コード赤１と赤２ネジ端子に取り付け青信号機の電源をだい２該リレースイッチの青１と青２のネジ端子に夫々を取付け、赤端子２と青端子２を結び又赤端子１の外の赤端子外１と青端子１の外端子１を夫々結び赤端子２と青端子２の結んだコードを赤端子外１と青端子外１を結んだコードを該分配ソケットに結ぶ。
分配ソケットから該ＡＣアダプターの電源を該ＩＣレコーダーの電源として赤信号機の色と青信号機の色を夫々リレースイッチを介してリピート設定の音声を該全天候のスピーカーで音声をだす。
他に電源分配ソケットから該反射型センサーに電源を送りセンサーの感知範囲で作用したら該タイマーに入力をして、分配ソケットからは該タイマースイッチに設定した時間だけタイマーの電源とする特徴を持った装置である。。
【請求項２】
該タイマースイッチと該二つのリレースイッチと該電源分配ソケットとＡＣアダプターと二つのＩＣレコーダーを配置しビニールパイプの中に入れてその先端に該反射型センサーと該全天候型のスピーカーを配して構成する事を特徴とする請求項１に記載する信号機と連動して信号機の色を知らせる装置。
【請求項３】
ＩＣレコーダーの中に充電式電池を供え停電の時にもＩＣレコーダーのリピート設定は作動をしていて停電が快復したら自動的に信号機と連動して信号機の色を音声で知らせる請求項１または２に記載の装置事を特徴とする装置。
【請求項４】
歩道の端から車道側に請求項１から請求項２の装置の該反射型センサーの感知範囲の下側に点字ブロックを敷設して車道では横断歩道の白線の端に盲人が辿れるように反対側の歩道の手前まで敷設をして、横断歩道の反対側にも歩道に敷設をして車道にも同じ方法で敷設し請求項１から３までの働きを序する設をして点字ブロックの適切な箇所にコンクリートネールで固定する事を特徴とする一連の付帯システム。
【手続補正書】
【提出日】平成30年9月14日(2018.9.14)
【手続補正１】
【補正対象書類名】実用新案登録請求の範囲
【補正対象項目名】全文
【補正方法】変更
【補正の内容】
【実用新案登録請求の範囲】
【請求項１】
横断歩道の信号機の赤信号の電源と接続される第１のリレースイッチと、青信号の電源と接続される第２のリレースイッチと、前記第１及び第２のリレースイッチと接続される電源分配ソケットと、前記電源分配ソケットと接続されるＡＣアダプター、タイマースイッチ、および反射型センサーと、前記ＡＣアダプターに接続される二つのＩＣレコーダーと、前記二つのＩＣレコーダーに接続される全天候型のスピーカーとを備えており、前記反射型センサーの検出信号に基づいて、前記二つのＩＣレコーダーのいずれかの音声を前記全天候型のスピーカーに入力し、前記タイマースイッチのセットした時間範囲で知らせることを特徴とする信号機と連動して信号機の色を音声で知らせる装置。
【請求項２】
前記タイマースイッチと前記二つのリレースイッチと前記電源分配ソケットと前記ＡＣアダプターと前記二つのＩＣレコーダーを配置しビニールパイプの中に入れてその先端に前記反射型センサーと前記全天候型のスピーカーを配して構成する事を特徴とする請求項１に記載の信号機と連動して信号機の色を知らせる装置。
【請求項３】
ＩＣレコーダーの中に充電式電池を供え停電の時にもＩＣレコーダーのリピート設定は作動をしていて停電が快復したら自動的に信号機と連動して信号機の色を音声で知らせることを特徴とする請求項１または２に記載の信号機と連動して信号機の色を知らせる装置。
【請求項４】
請求項１〜３のいずれか一項に記載の信号機と連動して信号機の色を知らせる装置を備える付帯システムであって、歩道の端から車道側に前記反射型センサーの感知範囲の下側に点字ブロックを敷設して車道では横断歩道の白線の端に盲人が辿れるように反対側の歩道の手前まで敷設をして、横断歩道の反対側にも歩道に敷設をして車道にも同じ方法で敷設して点字ブロックの適切な箇所にコンクリートネールで固定する事を特徴とする一連の付帯システム。